(57)【要約】【課題】抄紙機のワイヤパートにおいて使用され、各ブレード部に対して昇降手段を有することでブレード部の高さ位置を個別に調整可能とするブレード装置において、昇降動作を確実に行うことができるブレード装置の構造を得る。【解決手段】紙料を搬送する抄紙ワイヤの下面において、その移動方向に対して直交する方向に長尺状となるブレード部２と、ブレード部の下側に装着された昇降部２０と、昇降部を昇降可能に支持する支持部１０を具備して構成されるブレード装置であって、支持部に固定される区画壁１６により、昇降部の内部を上部室２１と下部室２２に区画し、上部室に昇降部を支持部に対して上昇させる第１の昇降手段３を設け、下部室に昇降部を支持部に対して下降させる第２の昇降手段４を設けることで、昇降部を強制的に下降させる。【選択図】  図１
2009150015.tif 000002
【特許請求の範囲】
【請求項１】
紙料を搬送する抄紙ワイヤの下面において、その移動方向に対して直交する方向に長尺状となるブレード部と、ブレード部の下側に装着された昇降部と、前記昇降部を昇降可能に支持する支持部を具備して構成されるブレード装置であって、
前記支持部に固定される区画壁により前記昇降部を上部室と下部室に区画し、
前記上部室に前記昇降部を前記支持部に対して上昇させる第１の昇降手段を設け、
前記下部室に前記昇降部を前記支持部に対して下降させる第２の昇降手段を設けて成る
ことを特徴とするブレード装置。
【請求項２】
前記第１の昇降手段及び第２の昇降手段は、
内部に空気を送ることで膨張し、内部の空気を排出することで収縮するチューブで構成された請求項１に記載のブレード装置。
【発明の詳細な説明】
【技術分野】
【０００１】
本発明は、抄紙機において搬送される紙料から水分を除去するワイヤパートで使用されるブレード装置に関し、特に、紙料の搬送を行うために走行するワイヤに対して押圧する各ブレードの搬送方向での研磨による高低ずれを調整して、搬送方向での高さの均一性を確保できる機構を有するブレード装置の構造に関する。
【背景技術】
【０００２】
抄紙機のワイヤパートにおいては、図５に示すように、回転して移動する無端状のワイヤ１０１の上方一端側に、ストックインレット６００からパルプを含んだ大量の水分から成る紙料１００を連続的に噴出させ、ワイヤ１０１の回転走行によって紙料１００が脱水フォイル装置２００に搬送され、脱水フォイル装置による吸引等により脱水作用が行われる。
【０００３】
ワイヤパートにおける脱水フォイル装置２００の前方側には、ワイヤ１０１を平坦に導いて紙料１００の攪拌及び幅方向における紙料の水分含有率の均一化が図れるように、ワイヤ１０１に押し上げ力を加えて高低を調整するための複数のカウンターブレード４００が設けられているが、更にその手前側においてもワイヤ１０１を脱水フォイル装置２００側に水平に導くためのブレードボックス３００，３００が設けられている。
【０００４】
各ブレードボックス３００は、図６の表裏方向に細長い複数のブレード部３０２が支持ボックス３０１上に間隔を存しさせて互いに平行に位置するように固定され、支持ボックス３０１の両サイドに配置される昇降手段３０３により支持ボックス３０１の高低を調節することで、ブレード部３０２全体の高低を調整するように構成されている。
【０００５】
この構成により、ワイヤ１０１の走行方向に対して水平面において直角に交差するように複数の長尺状のブレード部３０２が間隔を存しさせて配置されるので、走行する方向に張力を有するワイヤ１０１をテーブル状に平坦にし、高速搬送されるワイヤ１０１上の紙料中の水分がブレード部３０２間から下方に流下することで脱水作用が行われる。
【０００６】
上述のブレードボックス３００においては、ブレード部３０２の上方をワイヤ１０１が走行するため、ブレード面が磨耗する現象が生じる。磨耗現象は、ワイヤ１０１とブレード部３０２とが接触することで生じるので、各ブレード部３０２に均一に発生するものでない。そのため、ブレード装置３００の一部のブレード部３０２に磨耗が生じると、昇降手段３０３はブレード部全体の昇降を行うものであるため、ブレード部上面の搬送方向での高さが不均一となり、所望の脱水効果が得られなくなるという問題点があった。
【０００７】
この場合、磨耗したブレード部３０２を新品のものに交換することで他のブレード部との搬送方向における高さを調整することができるが、抄造中ではワイヤ走行及び脱水抵抗によりブレード部３０２をブレード装置３００から抜き出すことが困難であり、脱水調整時において個別にブレード部３０２の高さ調整を行うことはできなかった。
【０００８】
そこで、図４に示すように、各ブレード部４０に個別に昇降手段４１を設けることにより、例えば抄紙機のワイヤパートにおいて、ブレード面に磨耗が生じたような場合でも、昇降手段４１により高低位置を調整可能として、搬送方向におけるワイヤの平坦化を確保できるブレード装置が提案されている（特許文献１及び特許文献２参照）。
【特許文献１】実開平５−４５０９５
【特許文献２】特開２０００−１４４５９５
【発明の開示】
【発明が解決しようとする課題】
【０００９】
上記の特許文献１及び特許文献２に記載された構造のブレード装置によれば、昇降手段４１としての加圧チューブに空気を供給することでガイドバー４２を上昇させ、加圧チューブ（昇降手段４１）から空気を排出することでガイドバー４２を自重により下降させて、ブレード部４０の昇降が行われるように構成している。
【００１０】
しかしながら、加圧チューブ（昇降手段４１）から空気を排出させることでガイドバー４２を自重により下降させる構造であるので、下降方向に積極的な力が作用しないため円滑な下降動作ができない場合が生じ、下降に際してのブレード部４０の高さ位置の制御を迅速且つ確実に行うことができないという問題点があった。
【００１１】
本発明は上記実情に鑑みて提案されたもので、例えば抄紙機のワイヤパートにおいて使用され、各ブレード部に対して昇降手段を有することでブレード部の高さ位置を個別に調整可能とするブレード装置において、下降動作を確実に行うことができるブレード装置の構造を提供することを目的としている。
【課題を解決するための手段】
【００１２】
上記目的を達成するため請求項１の発明は、紙料を搬送する抄紙ワイヤの下面において、その移動方向に対して直交する方向に長尺状となるブレード部２と、ブレード部２の下側に装着された昇降部２０と、前記昇降部２０を昇降可能に支持する支持部１０を具備して構成されるブレード装置であって、次の構成を含むことを特徴としている。
前記支持部１０に固定される区画壁１６により、前記昇降部２０を上部室２１と下部室２２に区画する。
前記上部室２１に前記昇降部２０を前記支持部１０に対して上昇させる第１の昇降手段３を設ける。
前記下部室２２に前記昇降部２０を前記支持部１０に対して下降させる第２の昇降手段４を設ける。
【００１３】
請求項２の発明は、請求項１のブレード装置において、前記第１の昇降手段３及び第２の昇降手段４は、内部に空気を送ることで膨張し、内部の空気を排出することで収縮するチューブで構成されたことを特徴としている。
【発明の効果】
【００１４】
本発明のブレード装置によれば、支持部１０に対してスライド移動可能に装着された昇降部２０を区画壁１６で上部室２１と下部室２２に区画し、上部室２１に設けた第１の昇降手段３であるチューブに空気を供給することにより昇降部２０を支持部１０に対して上昇させる。
また、第１の昇降手段３であるチューブから空気を排出するとともに、下部室２２に設けた第２の昇降手段４であるチューブに空気を供給することで、昇降部２０を支持部１０に対して強制的に下降させることにより昇降部２０の下降動作を確実に行うことが可能となる。
【発明を実施するための最良の形態】
【００１５】
本発明に係るブレード装置の実施の形態の一例について、図１乃至図３を参照しながら説明する。
本発明のブレード装置１は、脱水フォイル装置の前方に配置されるブレードボックス（図６におけるブレードボックス３００）の支持ボックス３０１に対して複数個装着されるもので、表裏方向に細長いブレード部１を支持して構成されている。そして、多数のブレード装置１が配置されたブレードボックス全体を一体的に上下に動かす昇降手段（図示せず）により、複数のブレード部２の全体の高低を調整するとともに、各ブレード装置１において個別にブレード部２の高低が調節できるように構成されている。
【００１６】
すなわち、ブレード装置１の特徴的な構成は、ゴム，樹脂等で形成される可撓式チューブから構成される膨張部から成る一対の昇降手段（第１の昇降手段３及び第２の昇降手段４）を設けていることである。特に、下降時にのみ作用する昇降手段４を有することで、ブレード部２を強制的に下降させる構造を有するものである。
【００１７】
ブレード装置１は、支持ボックス３０１上に固定される基部５と、基部５上に装着される支持部１０と、支持部１０内に上下方向にスライド移動して昇降可能に配置された昇降部２０とを有している。
支持部１０は、基部５に固定された底部１１に設けた孔部１２に対して、その両側からボルト１３で固定された側面部１４を立設するように固定して構成されている。
昇降部２０は、内部が中空に形成され、支持部１０の側面部１４に対してボルト１５で固定された図の表裏方向に細長い板形状の区画壁１６により、上部室２１と下部室２２に区画され、下部室２２は、昇降部２０の下側に固定された底板２３により閉鎖されるようになっている。また、昇降部２０の底板２３には、図の表裏方向に長尺状となる溝部２４が形成されている。
昇降部２０の中央には図の表裏方向に細長い長孔２０ａが設けられることにより、支持部１０に対して昇降部２０が上下方向にスライド動作可能な構成となっている。
【００１８】
そして、上部室２１内には、内部に空気を供給することにより膨張して昇降部２０を押し上げるための、図の表裏方向に長尺状となる可撓式チューブ（ゴムチューブ）から成る第１の昇降手段３が区画壁１６上に固定されたチューブ支持部２５を介して装着されている。
また、下部室２２内には、昇降部２０の底板２３に形成された溝部２４に対して、長尺状となる可撓式チューブ（ゴムチューブ）から成る第２の昇降手段４の下方部がチューブ支持部２６を介して装着されている。
【００１９】
第１の昇降手段３及び第２の昇降手段４に対しては、表裏方向の端部側（図示せず）より空気の供給が行われることで、ワイヤの幅方向に細長いゴムチューブ全体が膨張するように構成されている。
また、第１の昇降手段３及び第２の昇降手段４に対する空気の供給及び排出は、図３に示すような制御装置により制御される空気供給装置３０により行われるようになっている。
すなわち、各ブレード装置１の第１の昇降手段３及び第２の昇降手段４へは、各アクチュエータ３１により空気の供給方向を切り替えることで、各昇降手段へは空気供給源３２からアクチュエータ３１を介して空気が供給される一方、各昇降手段からの空気の排出はアクチュエータ３１を介して大気中に放出されるようになっている。
【００２０】
昇降部２０の上面には、ブレード支持部２７が装着され、このブレード支持部２７の上部に、搬送されるワイヤ１０１（図５）に接触するブレード部２が固定されている。
支持部１０、昇降部２０、ブレード支持部２７、ブレード部２は、それぞれワイヤ１０１の幅方向に長尺となるように形成されている。
【００２１】
次に、上述したブレード装置による昇降動作について、図１及び図２を参照して説明する。
図１は、ブレード部２が低い位置に維持された状態を示している。この状態から第１の昇降手段３のチューブに空気が供給されると、第１の昇降手段３のチュープが上部室２１内で膨張し、昇降部２０を上方に押し上げるように作用する。すなわち、支持部１０に対して昇降部２０が上方向にスライドして移動し、支持部１０の係止部１０ａに昇降部２０の突起部２０ｂが当接するまで上昇し、ブレード部２が高い位置に維持される（図２の状態）。ブレード部２が高い位置に維持された図２の状態では、図１の状態に対して、上部室２１の体積が拡大し、下部室２２の体積が減少している。
【００２２】
図２の状態からブレード部２を下降させる場合には、第１の昇降手段３のチューブから空気を排出させるのと同時に、第２の昇降手段４のチューブに空気を供給すると、第２の昇降手段４のチュープが下部室２２内で膨張するとともに、空気が排出されることで第１の昇降手段３のチューブが収縮し、昇降部２０の下部に固定された底板２３を下方に押し下げるように作用する。すなわち、支持部１０に対して昇降部２０が下方向にスライドして移動し、図１の状態に戻る。
【００２３】
ブレード部２を下降させるに際しては、第１の昇降手段３のチューブから空気を排出させれば、昇降部２０は自重により下降するが、下降に時間を要するのと、何等かの理由で確実に下降しない場合があった。
上記構造によれば、第２の昇降手段４を設けているため、強制的に昇降部２０を下降させることができるとともに、第１の昇降手段３及び第２の昇降手段４のチューブへの空気の供給及び排出を制御装置により制御される空気供給装置３０で行うことにより、ブレード部２の高さ位置についての微調整を行うことができる。
その結果、搬送方向におけるワイヤの平坦化を確保するに際して、高精度にブレード面の位置を調整でき、抄紙機における脱水等の各パートにおいて、水分含有率を均一化等において、所望の効果を発揮させることができる。
【産業上の利用可能性】
【００２４】
本発明の構造によれば、抄紙機における脱水等の各パートにおいて、水分含有率の均一化を図る効果を有するブレード装置を得ることができる。
【図面の簡単な説明】
【００２５】
【図１】本発明のブレード装置（ブレード部下降時）の一例を示す一部断面構造説明図である。
【図２】本発明のブレード装置（ブレード部上昇時）の一例を示す一部断面構造説明図である。
【図３】ブレード装置の各昇降手段に対して空気の供給・排出を行なう空気供給装置を説明するためのブロック図である。
【図４】従来のブレード装置の構造を説明するための断面説明図である。
【図５】ワイヤパートの全体構成を示す構造説明図である。
【図６】従来のブレードボックスの構成を示す構造説明図である。
【符号の説明】
【００２６】
１  ブレード装置
２  ブレード部
３  第１の昇降手段
４  第２の昇降手段
５  基部
１０  支持部
１６  区画壁
２０  昇降部
２３  底板部
２７  ブレード支持部
１０１  ワイヤ
３００  ブレードボックス
【図１】
2009150015.tif 000003
【図２】
2009150015.tif 000004
【図３】
2009150015.tif 000005
【図４】
2009150015.tif 000006
【図５】
2009150015.tif 000007
【図６】
2009150015.tif 000008